(57)【要約】【課題】  金額計算装置を提供する。【解決手段】  複数の預託者が預け入れした預かり金額に基づき、それぞれの預託者が死亡するまでの間、所定の期間ごとに預託者の口座に給付金額を払い込みする資金払い込みシステムにおける金額計算装置は、年齢別及び性別の平均余命に関する余命情報を記録する記録装置を備える。預託者の預かり金額と年齢と性別を入力するために使用される入力装置を備える。平均余命のうち預託者の年齢や性別に対応するものを所定の期間で区分した区分数で、預託者の預かり金額を除算して得られた期間別給付金額を算出する制御装置を備える。給付金額として、期間別給付金額を出力する、若しくは、期間別給付金額に、所定の割引率で割引した金額、若しくは期間別給付金額に所定の割引金額を除算した金額のいずれか一方である実期間別給付金額を出力する出力装置を備える。【選択図】図１０
2015127927.tif 000002
【特許請求の範囲】
【請求項１】
複数の預託者が預け入れした預かり金額に基づき、それぞれの預託者が死亡するまでの間、所定の期間ごとに前記預託者の口座に給付金額を払い込みする資金払い込みシステムにおける金額計算装置であって、
年齢別及び性別の平均余命に関する余命情報を記録する記録装置と、
前記預託者の預かり金額と年齢と性別を入力するために使用される入力装置と、
前記平均余命のうち前記預託者の年齢や性別に対応するものを前記所定の期間で区分した区分数で、前記預託者の預かり金額を除算して得られた期間別給付金額を算出する制御装置と、
前記給付金額として、前記期間別給付金額を出力する、若しくは、前記期間別給付金額に、所定の割引率で割引した金額、若しくは前記期間別給付金額に所定の割引金額を除算した金額のいずれか一方である実期間別給付金額を出力する出力装置とを備えることを特徴とする金額計算装置。
【請求項２】
前記記録装置は、サーバーに設けられ、
前記入力装置、前記制御装置、前記出力装置は、ネットワークを介して前記サーバーと通信可能なクライアントに設けられ、
前記預託者から前記預かり金額の入金を確認したことを示す入金確認情報は、前記クライアントのうち、所定のＩＤやパスワードを使ってログインしたクライアントの前記入力装置を介して入力され、
前記所定のＩＤやパスワードを使ってログインしたクライアントの前記制御装置若しくは前記サーバーの制御装置は、前記入金確認情報の前記入力装置を介した入力後に、前記預かり金額に対応する期間別給付金額若しくは実期間別給付金額を、前記預託者の口座に払い込みするための指示情報を、ネットワークを介して金融機関のネットバンキング受付用コンピューターに送信させることを特徴とする請求項１に記載の金額計算装置。
【請求項３】
前記ネットバンキング受付用コンピューターに送信される前記指示情報は、前記ネットバンキング受付用コンピューターにログオンするためのＩＤやパスワード、前記預託者の口座番号、前記預託者の前記預かり金額に対応する期間別給付金額若しくは実期間別給付金額を含み、前記ネットバンキング受付用コンピューターにおける送金手続の手順に対応して、送信されることを特徴とする請求項２に記載の金額計算装置。
【請求項４】
前記指示情報の送信は、動作確認用に、前記所定の期間よりも短い第２期間ごとに行われることを特徴とする請求項３に記載の金額計算装置。
【請求項５】
前記記録装置は、金融機関のサーバーに設けられ、
前記入力装置、前記制御装置、前記出力装置は、ネットワークを介して前記サーバーと通信可能なクライアントに設けられ、
前記預託者から前記預かり金額の入金を確認したことを示す入金確認情報は、前記クライアントのうち、所定のＩＤやパスワードを使ってログインしたクライアントの前記入力装置を介して入力され、
前記所定のＩＤやパスワードを使ってログインしたクライアントの前記制御装置若しくは前記サーバーの制御装置は、前記入金確認情報の前記入力装置を介した入力後に、前記預かり金額に対応する期間別給付金額若しくは実期間別給付金額を、前記預託者の口座に払い込みするための指示情報を、前記金融機関の振込装置に送信させることを特徴とする請求項１に記載の金額計算装置。
【請求項６】
前記記録装置は、サーバーに設けられ、
前記出力装置は、プリンターを有し、
前記入力装置、前記制御装置、前記出力装置は、ネットワークを介して前記サーバーと通信可能なクライアントに設けられ、
前記預託者から前記預かり金額の入金を確認したことを示す入金確認情報は、前記クライアントのうち、所定のＩＤやパスワードを使ってログインしたクライアントの前記入力装置を介して入力され、
前記所定のＩＤやパスワードを使ってログインしたクライアントの前記制御装置若しくは前記サーバーの制御装置は、前記入金確認情報の前記入力装置を介した入力後に、前記預かり金額に対応する期間別給付金額若しくは実期間別給付金額を、前記預託者の口座への振込を行うための指示情報を、前記振込の手続を行う金融機関の振込用紙の書き込み位置に合わせて、前記所定のＩＤやパスワードを使ってログインしたクライアントの前記プリンターを使って出力させ、
前記プリンターで出力される前記指示情報は、前記預かり金額に対応する期間別給付金額若しくは実期間別給付金額の払い込みを行う金融機関の口座番号と口座名義、前記払い込みを受ける金融機関の口座番号を含むことを特徴とする請求項１に記載の金額計算装置。
【請求項７】
前記記録装置は、年齢別且つ性別ごとの死亡率に関する死亡率情報を記録し、
前記入力装置は、前記複数の預託者の預け入れ金額の平均値、前記複数の預託者への給付金額の平均値、前記預託者の数を入力するために使用され、
前記出力装置は、前記預け入れ金額の平均値、前記給付金額の平均値、前記預託者の数、及び、前記死亡率情報に基づいて、同じ性別で同じ年齢の預託者が前記預託者の数で、前記預け入れ金額の平均値になるように預け入れが行われ、前記預け入れによって集まった金銭を使って、前記預託者への給付金額の平均値になるように給付金額の払い込みが行われた場合における、前記預け入れによって集まった金額の推移を出力することを特徴とする請求項１に記載の金額計算装置。
【請求項８】
前記記録装置に記録された前記余命情報は、第１期間ごとに、若しくは、前記入力装置を介した使用者の指示に基づいて、インターネット上で開示された情報を使って、更新されることを特徴とする請求項１に記載の金額計算装置。
【請求項９】
前記預託者が、複数回に分けて預かり金額を預け入れする場合には、
前記入力装置は、前記複数回の預け入れごとに、前記預託者の預かり金額と預け入れ時の年齢を入力するためにも使用され、
前記制御装置は、前記平均余命のうち前記預託者の預け入れ時の年齢や前記預託者の性別に対応するものを前記所定の期間で区分した区分数で、前記預託者の預かり金額を除算して得られた期間別給付金額を、前記複数回の預け入れごとに、算出し、
前記出力装置は、複数回の預け入れごとに算出された前記期間別給付金額、若しくは前記実期間別給付金額の合算値を出力することを特徴とする請求項１に記載の金額計算装置
【請求項１０】
複数の預託者のグループ単位で預け入れした預かり金額に基づき、それぞれのグループにおける預託者の全員が死亡するまでの間、所定の期間ごとに前記グループ若しくは前記グループに属する預託者の少なくとも１つの口座に給付金額を払い込みする資金払い込みシステムにおける金額計算装置であって、
年齢別及び性別の平均余命に関する余命情報を記録する記録装置と、
前記預託者の預かり金額と年齢と性別を入力するために使用される入力装置と、
前記平均余命のうち前記預託者の年齢や性別に対応するものであって、前記グループに属する預託者の平均余命のうちで最も長いものを前記所定の期間で区分した区分数で、前記グループの預かり金額を除算して得られた期間別給付金額を算出する制御装置と、
前記給付金額として、前記期間別給付金額を出力する、若しくは、前記期間別給付金額に、所定の割引率で割引した金額、若しくは前記期間別給付金額に所定の割引金額を除算した金額のいずれか一方である実期間別給付金額を出力する出力装置とを備えることを特徴とする金額計算装置。
【請求項１１】
前記出力装置は、前記グループに属する預託者の一人が死亡した後については、前記期間別給付金額若しくは前記実期間別給付金額は、一定割合だけ圧縮若しくは一定金額だけ減額したものを、前記期間別給付金額若しくは前記実期間別給付金額として出力することを特徴とする請求項１０に記載の金額計算装置。
【請求項１２】
複数の預託者が預け入れした預かり金額に基づき、それぞれの預託者が死亡するまでの間、所定の期間ごとに前記預託者の口座に給付金額を払い込みする資金払い込みシステムにおける金額計算装置であって、
年齢別及び性別の平均余命に関する余命情報を記録する記録装置と、
前記預託者の年齢と性別、及び、前記給付金額として、期間別給付金額、若しくは、前記期間別給付金額に、所定の割引率で割引した金額、若しくは前記期間別給付金額に所定の割引金額を除算した金額のいずれか一方である実期間別給付金額を入力するために使用される入力装置と、
前記平均余命のうち前記預託者の年齢や性別に対応するものを前記所定の期間で区分した区分数を、前記期間別給付金額に乗算して得られた預かり金額を算出する制御装置と、
前記算出された預かり金額を出力する出力装置とを備えることを特徴とする金額計算装置。
【発明の詳細な説明】
【技術分野】
【０００１】
本発明は、資金払い込みシステムにおける金額計算装置に関する。
【背景技術】
【０００２】
特許文献１などで、平均余命から生活費などの必要経費を算出する資産管理支援システムなどが提案されている。
【先行技術文献】
【特許文献】
【０００３】
【特許文献１】特開２００２−３６６７４１号公報
【発明の概要】
【発明が解決しようとする課題】
【０００４】
しかし、生活するのに必要な金額を計算するに過ぎず、預託者が預け入れた金銭と、預け入れた金銭に基づいて定期的に給付される金銭との関係まで算出することは出来ない。
【０００５】
したがって本発明の目的は、預託者の預け入れ金額と、当該預け入れ金額に対応して定期的に給付される金額との関係を示す金額計算装置を提供することである。
【課題を解決するための手段】
【０００６】
本発明に係る、複数の預託者が預け入れした預かり金額に基づき、それぞれの預託者が死亡するまでの間、所定の期間ごとに預託者の口座に給付金額を払い込みする資金払い込みシステムにおける金額計算装置は、年齢別及び性別の平均余命に関する余命情報を記録する記録装置と、預託者の預かり金額と年齢と性別を入力するために使用される入力装置と、平均余命のうち預託者の年齢や性別に対応するものを所定の期間で区分した区分数で、預託者の預かり金額を除算して得られた期間別給付金額を算出する制御装置と、給付金額として、期間別給付金額を出力する、若しくは、期間別給付金額に、所定の割引率で割引した金額、若しくは期間別給付金額に所定の割引金額を除算した金額のいずれか一方である実期間別給付金額を出力する出力装置とを備える。
【０００７】
これにより、複数の預託者が預け入れした預かり金額に基づき、それぞれの預託者が死亡するまでの間、インターバル期間（所定の期間）ごとに当該預託者の口座に実期間別給付金額を払い込みする資金払い込みシステムにおいて、預託者は、預かり金額を預け入れした場合に、インターバル期間ごとに払い込みされる金額（実期間別給付金額）を知ることが可能になる。
【０００８】
なお、当該資金払い込みシステムでは、預託者が、当該預託者の年齢や性別に対応する平均余命よりも長生きした場合には、インターバル期間ごとに払い込みした実期間別給付金額の総合計が、当該預託者の預かり金額を超える可能性がある。
【０００９】
しかし、同じ年齢の預託者が複数居る場合、当該預託者が多ければ、預託者それぞれの実際の余命年数の平均値が、余命情報における当該預託者の年齢や性別に対応する預託者余命期間に近づく可能性が高い。このため、全体としては、全預託者に対してインターバル期間ごとに払い込みした実期間別給付金額の総合計が、全預託者の預かり金額ｅの総合計を超える可能性は低い。
【００１０】
好ましくは、記録装置は、サーバーに設けられ、入力装置、制御装置、出力装置は、ネットワークを介してサーバーと通信可能なクライアントに設けられ、預託者から預かり金額の入金を確認したことを示す入金確認情報は、クライアントのうち、所定のＩＤやパスワードを使ってログインしたクライアントの入力装置を介して入力され、所定のＩＤやパスワードを使ってログインしたクライアントの制御装置若しくはサーバーの制御装置は、入金確認情報の入力装置を介した入力後に、預かり金額に対応する期間別給付金額若しくは実期間別給付金額を、預託者の口座に払い込みするための指示情報を、ネットワークを介して金融機関のネットバンキング受付用コンピューターに送信させる。
【００１１】
さらに好ましくは、ネットバンキング受付用コンピューターに送信される指示情報は、ネットバンキング受付用コンピューターにログオンするためのＩＤやパスワード、預託者の口座番号、預託者の預かり金額に対応する期間別給付金額若しくは実期間別給付金額を含み、ネットバンキング受付用コンピューターにおける送金手続の手順に対応して、送信される。
【００１２】
これにより、第２暗唱番号など、手続の度に変化し、入力者の手作業で無ければ入力出来ない操作を除いて、振込手続を自動的に行うことが出来る。
【００１３】
さらに好ましくは、指示情報の送信は、動作確認用に、所定の期間よりも短い第２期間ごとに行われる。
【００１４】
インターバル期間より短い頻度（第２期間ごと）で、振込手続手順を進められるかを確認するため、次の払い込み時期まで、修正を行う時間を確保することが出来る。
【００１５】
なお、ネットバンキングを使った振込手続は、第２暗唱番号の入力など、入力者の手作業でなければ入力出来ない操作が介在するため、振込手続が完了して実際に金銭の振り込みが行われてしまうことは無い。
【００１６】
また、好ましくは、記録装置は、金融機関のサーバーに設けられ、入力装置、制御装置、出力装置は、ネットワークを介してサーバーと通信可能なクライアントに設けられ、預託者から預かり金額の入金を確認したことを示す入金確認情報は、クライアントのうち、所定のＩＤやパスワードを使ってログインしたクライアントの入力装置を介して入力され、所定のＩＤやパスワードを使ってログインしたクライアントの制御装置若しくはサーバーの制御装置は、入金確認情報の入力装置を介した入力後に、預かり金額に対応する期間別給付金額若しくは実期間別給付金額を、預託者の口座に払い込みするための指示情報を、金融機関の振込装置に送信させる。
【００１７】
また、好ましくは、記録装置は、サーバーに設けられ、出力装置は、プリンターを有し、入力装置、制御装置、出力装置は、ネットワークを介してサーバーと通信可能なクライアントに設けられ、預託者から預かり金額の入金を確認したことを示す入金確認情報は、クライアントのうち、所定のＩＤやパスワードを使ってログインしたクライアントの入力装置を介して入力され、所定のＩＤやパスワードを使ってログインしたクライアントの制御装置若しくはサーバーの制御装置は、入金確認情報の入力装置を介した入力後に、預かり金額に対応する期間別給付金額若しくは実期間別給付金額を、預託者の口座への振込を行うための指示情報を、振込の手続を行う金融機関の振込用紙の書き込み位置に合わせて、所定のＩＤやパスワードを使ってログインしたクライアントのプリンターを使って出力させ、プリンターで出力される指示情報は、預かり金額に対応する期間別給付金額若しくは実期間別給付金額の払い込みを行う金融機関の口座番号と口座名義、払い込みを受ける金融機関の口座番号を含む。
【００１８】
これにより、印鑑の押印などの手作業での入力が不可欠な作業を除いて、振込用紙への記入を自動的に行うことが出来る。
【００１９】
また、好ましくは、記録装置は、年齢別且つ性別ごとの死亡率に関する死亡率情報を記録し、入力装置は、複数の預託者の預け入れ金額の平均値、複数の預託者への給付金額の平均値、預託者の数を入力するために使用され、出力装置は、預け入れ金額の平均値、給付金額の平均値、預託者の数、及び、死亡率情報に基づいて、同じ性別で同じ年齢の預託者が預託者の数で、預け入れ金額の平均値になるように預け入れが行われ、預け入れによって集まった金銭を使って、預託者への給付金額の平均値になるように給付金額の払い込みが行われた場合における、預け入れによって集まった金額の推移を出力する。
【００２０】
平均預託金額、預託者数などを入力することで、預かり資産の推移のシミュレーションを行うことが可能になる。
【００２１】
また、好ましくは、記録装置に記録された余命情報は、第１期間ごとに、若しくは、入力装置を介した使用者の指示に基づいて、インターネット上で開示された情報を使って、更新される。
【００２２】
最新の余命情報を使って計算を行うことで、精度良く（預託者と管理者との間のバランスをとって）給付金額を計算することが可能になる。
【００２３】
また、好ましくは、預託者が、複数回に分けて預かり金額を預け入れする場合には、入力装置は、複数回の預け入れごとに、預託者の預かり金額と預け入れ時の年齢を入力するためにも使用され、制御装置は、平均余命のうち預託者の預け入れ時の年齢や預託者の性別に対応するものを所定の期間で区分した区分数で、預託者の預かり金額を除算して得られた期間別給付金額を、複数回の預け入れごとに、算出し、出力装置は、複数回の預け入れごとに算出された期間別給付金額、若しくは実期間別給付金額の合算値を出力する。
【００２４】
本発明に係る、複数の預託者のグループ単位で預け入れした預かり金額に基づき、それぞれのグループにおける預託者の全員が死亡するまでの間、所定の期間ごとにグループ若しくはグループに属する預託者の少なくとも１つの口座に給付金額を払い込みする資金払い込みシステムにおける金額計算装置は、年齢別及び性別の平均余命に関する余命情報を記録する記録装置と、預託者の預かり金額と年齢と性別を入力するために使用される入力装置と、平均余命のうち預託者の年齢や性別に対応するものであって、グループに属する預託者の平均余命のうちで最も長いものを所定の期間で区分した区分数で、グループの預かり金額を除算して得られた期間別給付金額を算出する制御装置と、給付金額として、期間別給付金額を出力する、若しくは、期間別給付金額に、所定の割引率で割引した金額、若しくは期間別給付金額に所定の割引金額を除算した金額のいずれか一方である実期間別給付金額を出力する出力装置とを備える。
【００２５】
好ましくは、出力装置は、グループに属する預託者の一人が死亡した後については、期間別給付金額若しくは実期間別給付金額は、一定割合だけ圧縮若しくは一定金額だけ減額したものを、期間別給付金額若しくは実期間別給付金額として出力する。
【００２６】
本発明に係る、複数の預託者が預け入れした預かり金額に基づき、それぞれの預託者が死亡するまでの間、所定の期間ごとに預託者の口座に給付金額を払い込みする資金払い込みシステムにおける金額計算装置は、年齢別及び性別の平均余命に関する余命情報を記録する記録装置と、預託者の年齢と性別、及び、給付金額として、期間別給付金額、若しくは、期間別給付金額に、所定の割引率で割引した金額、若しくは期間別給付金額に所定の割引金額を除算した金額のいずれか一方である実期間別給付金額を入力するために使用される入力装置と、平均余命のうち預託者の年齢や性別に対応するものを所定の期間で区分した区分数を、期間別給付金額に乗算して得られた預かり金額を算出する制御装置と、算出された預かり金額を出力する出力装置とを備える。
【発明の効果】
【００２７】
以上のように本発明によれば、預託者の預け入れ金額と、当該預け入れ金額に対応して定期的に給付される金額との関係を示す金額計算装置を提供することができる。
【図面の簡単な説明】
【００２８】
【図１】本実施形態における資金払い込みシステムにおける金額計算装置の構成図である。
【図２】クライアントの構成図である。
【図３】ログイン画面（認証情報入力画面）の例を示す図である。
【図４】管理者以外の使用者がログインした後のメニュー画面の例を示す図である。
【図５】管理者がログインした後のメニュー画面の例を示す図である。
【図６】第１情報が入力される前の第１画面の例を示す図である。
【図７】第１情報が入力された後の第１画面の例を示す図である。
【図８】第２情報が入力される前の第２画面の例を示す図である。
【図９】第２情報が入力された後の第２画面の例を示す図である。
【図１０】計算結果画面の例を示す図である。
【図１１】管理者がログインした後のメニュー画面の例で、第１管理画面表示や第２管理画面表示への切り替えが可能なものを示す図である。
【図１２】第１管理画面の例を示す図である。
【図１３】条件入力がされる前の第２管理画面の例を示す図である。
【図１４】条件入力され、計算結果を含む第２管理画面の例を示す図である。
【図１５】段階的に実期間別給付金額が変動する場合の計算結果画面の例を示す図である。
【図１６】複数回（２回）に分けて預け入れを行う場合の計算結果画面の例を示す図である。
【図１７】複数名（２名）の預託者が属するグループに対する計算結果画面の例を示す図である。
【図１８】複数名（２名）の預託者が属するグループに対する計算結果画面で、一方の預託者死亡後の圧縮された実期間別給付金額を表示した例を示す図である。
【発明を実施するための形態】
【００２９】
以下、本実施形態について、図を用いて説明する。本実施形態における金額計算装置１は、複数のクライアントＣＰ１〜ＣＰ５、サーバーＸを備える（図１参照）。金額計算装置１は、複数の預託者が預け入れした預かり金額に基づき、それぞれの預託者が死亡するまでの間、所定の期間ごとに預託者に給付金額を払い込みする資金払い込みシステムにおいて、預かり金額から給付金額を算出したり、給付金額から預かり金額を算出したりするために用いられる。なお、クライアントの数は一例であって、５台に限るものではない。
【００３０】
金額計算装置１は、使用者のそれぞれがクライアントＣＰ１〜ＣＰ５のいずれかを使ってサーバーＸにアクセスしてログインし、ログインした後のメニュー画面で選択した金額計算動作（給付金額の算出動作、若しくは預かり金額の算出動作）を実行するシステムである。
【００３１】
クライアントＣＰ１〜ＣＰ５のそれぞれは、キーボードやポインティングデバイスやカメラやマイクなどの入力装置１１、ＣＰＵなどの制御装置１２、ネットワーク接続（インターネット網を介した接続）を行うための通信装置１３、表示装置やスピーカーやプリンターなどの出力装置１４を有するコンピューター（携帯情報端末を含む）である（図２参照）。
【００３２】
サーバーＸは、資金計算に使用する第１情報（管理者情報、年齢別且つ性別ごとの平均余命に関する余命情報Ｉｎｆ１、割引率ａ、割引金額ｂ、加算期間ｃ、インターバル期間ｄ）などが記録され、金額計算装置１のソフトウエアがインストールされた記録装置、及び当該ソフトウエアを実行させるＣＰＵなどの制御装置を有するネットワーク接続が可能なＡＳＰ（Application Service Provider）サーバーである。クライアントＣＰ１〜ＣＰ５は、ブラウザソフトを使って、サーバーＸにアクセスし、サーバーＸにインストールされた金額計算装置１のソフトウエアを動作させる。なお、当該ソフトウエアには、後述する振込手続用プログラムも含まれる。
【００３３】
また、サーバーＸの記録装置は、使用者情報として、使用者ごとのＩＤ、パスワード、使用者名称を含むのが望ましい。ただし、本金額計算装置１を使った資金計算を一般に開放し、ＩＤなどを有しない使用者も自由にサーバーＸにアクセスして、本金額計算装置１を活用する形態であってもよい。この場合でも、資金計算に使用する第１情報の設定は、特定のＩＤやパスワードを使ってログインしたクライアントの入力装置１１を介して操作された場合に限定されるのが望ましい。
【００３４】
使用者が、クライアントＣＰ１〜ＣＰ５の１つを使って、特定のＵＲＬを入力してサーバーＸにアクセスすると、ログイン画面（認証情報入力画面）が表示される（図３参照）。ログイン画面において、ＩＤやパスワードを入力すると、金額計算装置１にログインされ、ログインした後のメニュー画面が表示される（図４参照）。
【００３５】
サーバーＸは、使用者のうち特定の者が管理者であることを記録装置に記録し、管理者のＩＤやパスワードを使ってログインされた場合には、ログインした後のメニュー画面で、資金計算のための動作選択だけでなく、資金計算で使用する第１情報を設定する操作が選択可能な状態にする（図５参照）。
【００３６】
管理者のＩＤやパスワードを使ったログイン後のメニュー画面で、第１情報の設定動作リンク（図５の“２．第１情報設定（管理者のみ）”）がクリックされると、サーバーＸは、第１情報の設定を行うための第１画面表示（図６、図７参照）を行う。
【００３７】
第１画面表示では、年齢別且つ性別ごとの平均余命に関する余命情報Ｉｎｆ１、割引率ａ、加算期間ｃなど、資金計算で使用するパラメータや、管理者のＩＤやパスワードが、当該クライアントの入力装置１１を使って、修正可能な状態で表示される。
【００３８】
年齢別且つ性別ごとの平均余命に関する余命情報Ｉｎｆ１は、管理者がログインしたクライアントの入力装置１１を介して、設定される形態であってもよいし、サーバーＸが第１期間ｔ１（例えば、６ヶ月）ごとに、若しくは、管理者がログインしたクライアントの入力装置１１を介した指示に基づいて、厚生労働省発表データなどインターネット上で開示された情報を取得して、更新する形態であってもよい。最新の余命情報Ｉｎｆ１を使って計算を行うことで、精度良く（預託者と管理者との間のバランスをとって）給付金額を計算することが可能になる。
【００３９】
本実施形態の図６や図７では、第１画面上に“平均余命自動取得キー”が設けられ、管理者がログインしたクライアントの入力装置１１を介して“平均余命自動取得キー”がクリックされた場合に、サーバーＸが所定アドレスのウェブページで開示された情報を取得して、平均余命に関する余命情報Ｉｎｆ１を更新する形態を示す。
【００４０】
本実施形態の図７は、平均余命に関する余命情報Ｉｎｆ１、割引率ａ、加算期間ｃが入力された状態を示す。
【００４１】
図７では、平均余命に関する余命情報Ｉｎｆ１は、４０歳、４５歳、・・・と、５歳飛びで平均余命を設定する形態を示すが、４０歳、４１歳、・・・と、１歳ごとに平均余命を設定する形態であってもよい。本実施形態では、５歳飛びで設定された平均余命の値から、他の年齢における平均余命の値を比例計算などで算出する。
【００４２】
割引率ａは、数字１との差異：（１−ａ）を、後述する期間別給付金額ｊに乗算して、実期間別給付金額ｋを算出するための割合で、０％より大きく１００％未満の数値（図７では、０．１０％）が設定される。
【００４３】
なお、割引率ａに代えて、期間別給付金額ｊから減算して、実期間別給付金額ｋを算出するための割引金額ｂで、０円より大きい数値が設定される形態であってもよい。
【００４４】
加算期間ｃは、平均余命に関する余命情報Ｉｎｆ１に基づいて決定される預託者の年齢や性別に対応した預託者余命期間ｈに加算する値で、０以上の数値（図７では、５ヶ月）が設定される。
【００４５】
また、第１画面上には、“管理者変更キー”や“設定キー”が設けられる。管理者がログインしたクライアントの入力装置１１を介して“管理者変更キー”がクリックされると、管理者のＩＤやパスワードを変更するための画面表示が行われる（不図示）。管理者がログインしたクライアントの入力装置１１を介して、“設定キー”がクリックされると、第１画面上の表に入力された平均余命に関する余命情報Ｉｎｆ１などの第１情報が更新され、メニュー画面表示に戻される。
【００４６】
これらの情報は、使用者が後述の資金計算を行う前に、予め管理者がログインしたクライアントの入力装置１１を介して設定される。
【００４７】
次に、第２画面表示について説明する。
ログイン後のメニュー画面（図４、図５参照）で、資金計算のための動作選択リンク（図４や図５の“１．資金計算”）がクリックされると、資金計算の為に必要な第２情報（インターバル期間ｄ、預託者の預かり金額ｅ、預託者の年齢ｆ、預託者の性別ｇ）を入力する第２画面表示が行われる（図８、図９参照）。
【００４８】
インターバル期間（所定の期間）ｄは、預託者に給付金が給付される時間的な間隔で、２ヶ月などの月数や日数（図９では、１ヶ月）が設定される。
【００４９】
第２画面上には、“計算キー”が設けられ、預託者が、クライアントの入力装置１１を介して、第２情報を入力した後に、“計算キー”がクリックされると、サーバーＸは、当該預託者が入力した第２情報と、予めサーバーＸの記録装置に記録された第１情報に基づいて、当該預託者に対して、インターバル期間ｄごとに払い込みする金額（実期間別給付金額ｋ）を計算し、計算結果をクライアントの表示装置に表示させる。
【００５０】
具体的には、サーバーＸは、余命情報Ｉｎｆ１から、預託者が入力した年齢ｆと性別ｇに対応する預託者余命期間ｈを決定し、当該預託者余命期間ｈに加算期間ｃを加算する。
【００５１】
サーバーＸは、預託者余命期間ｈと加算期間ｃの和（ｈ＋ｃ）を、インターバル期間ｄで除算して預託者への給付予定回数ｉを算出する（ｉ＝（ｈ＋ｃ）÷ｄ）。
【００５２】
サーバーＸは、預託者の預かり金額ｅを、給付予定回数ｉで除算して、期間別給付金額ｊを算出する（ｊ＝ｅ÷ｉ）。
【００５３】
サーバーＸは、期間別給付金額ｊを、１と割引率ａの差異で乗算するか、割引金額ｂで減算するかして、実期間別給付金額ｋを算出する（ｋ＝ｊ×（１−ａ）、または、ｋ＝ｊ−ｂ）。
【００５４】
なお、割引計算工程（１と割引率ａの差異を使った乗算、若しくは割引金額ｂでの減算）は、期間別給付金額ｊに対して行う形態に限らず、預かり金額ｅに対して行う形態であってもよい。この場合であって、割引率ａの値は変わらないが、割引金額ｂの値は預かり金額ｅに合わせ、期間別給付金額ｊに対して行う場合に比べて大きい値になる。
【００５５】
サーバーＸは、算出した実期間別給付金額ｋを、当該預託者がログインしたクライアントの表示装置に表示させる（計算結果画面、図１０参照）。
ただし、割引率ａや割引金額ｂを考慮せず、期間別給付金額ｊを、払い込みの給付金額として、実期間別給付金額ｋに代えて表示する形態であってもよい。
【００５６】
図１０では、預託者の年齢ｆ：５０歳、性別ｇ：男に対応する平均余命：３１．５１年、割引率ａ：０．１０％、加算期間ｃ：５ヶ月、インターバル期間ｄ：１ヶ月、預かり金額ｅ：６０，０００，０００円の条件下では、実期間別給付金額ｋの計算結果が、１５６，４５２円となることを示す。
【００５７】
計算結果画面上には、“戻るキー”が設けられ、クライアントの入力装置１１を介して、“戻るキー”がクリックされると、第２画面表示に戻される。
【００５８】
これにより、複数の預託者が預け入れした預かり金額ｅに基づき、それぞれの預託者が死亡するまでの間、インターバル期間ｄごとに当該預託者の口座に実期間別給付金額ｋを払い込みする資金払い込みシステムにおいて、預託者は、預かり金額ｅを預け入れした場合に、インターバル期間ｄごとに払い込みされる金額（実期間別給付金額ｋ）を知ることが可能になる。
【００５９】
なお、当該資金払い込みシステムでは、預託者が、当該預託者の年齢や性別に対応する平均余命よりも長生きした場合には、インターバル期間ｄごとに払い込みした実期間別給付金額ｋの総合計が、当該預託者の預かり金額ｅを超える可能性がある。
【００６０】
しかし、同じ年齢の預託者が複数居る場合、当該預託者が多ければ、預託者それぞれの実際の余命年数の平均値が、余命情報Ｉｎｆ１における当該預託者の年齢ｆや性別ｇに対応する預託者余命期間ｈに近づく可能性が高い。このため、全体としては、全預託者に対してインターバル期間ｄごとに払い込みした実期間別給付金額ｋの総合計が、全預託者の預かり金額ｅの総合計を超える可能性は低い。
【００６１】
本実施形態では、預託者が預け入れする金額（預かり金額ｅ）から、預託者が所定期間ごとに給付される金額（実期間別給付金額ｋ）を算出する形態（ｋ＝ｊ×（１−ａ）＝ｅ÷ｉ×（１−ａ））を説明したが、実期間別給付金額ｋから、預かり金額ｅを算出する形態（ｅ＝ｉ×ｊ＝ｉ×ｋ÷（１−ａ））であってもよい。
【００６２】
次に、本資金払い込みシステムの管理者側の管理画面について、説明する。
管理者のＩＤやパスワードを使ったログイン後のメニュー画面で、サーバーＸは、第１画面表示（図６、図７参照）に加えて、預託者情報の設定を行うための第１管理画面表示（図１２参照）や、預託者に給付する金額の推移などのシミュレーションを行う第２管理画面表示（図１３、図１４参照）を行う形態であってもよい。
【００６３】
この場合は、管理者のＩＤやパスワードを使ったログイン後のメニュー画面は、設定動作キーの他に、クリック後に第１管理画面表示への切り替えを行う第１管理画面切り替えリンク（図１１の“３．預託者情報設定（管理者のみ）”）や、クリック後に第２管理画面表示への切り替えを行う第２管理画面切り替えリンク（図１１の“４．シミュレーション（管理者のみ）”）を有する（図１１参照）。
【００６４】
まず、第１管理画面表示（図１２参照）について説明する。
第１管理画面表示では、実際に預託金を入金した実預託者に関する情報（インターバル期間ｄ、預託者の預かり金額ｅ、預託者の年齢ｆ、預託者の性別ｇ、実期間別給付金額ｋ、振込先口座情報）の一覧を、入金確認情報として、更新可能な状態で、表示する。
【００６５】
実預託者に関する情報（入金確認情報）は、管理者がログインしたクライアントの入力装置１１を介して設定され、サーバーＸの記録装置に記録される。
【００６６】
第１管理画面における預かり金額ｅは、実際に預託者が所定の口座に入金した金額を示す。
【００６７】
実期間別給付金額ｋは、上述の第２画面表示で行われる計算方法と同じ計算方法で算出された値が入力される。
ただし、実期間別給付金額ｋに代えて、期間別給付金額ｊを第１管理画面に表示し、期間別給付金額ｊを、インターバル期間ｄごとに、給付金額として、預託者に払い込みする形態であってもよい。
【００６８】
また、実期間別給付金額ｋと期間別給付金額ｊとを組み合わせ、初回の払い込み時など、一定の払い込み時だけ、割引率ａなどを考慮した実期間別給付金額ｋを、給付金額として、預託者に払い込みし、他の払い込み時は、割引率ａなどを考慮しない期間別給付金額ｊを、給付金額として、預託者に払い込みする形態であってもよい。
【００６９】
第１管理画面を見ることで、管理者は、預かり金が入金済みである実預託者に関する情報を確認することが可能になる。
【００７０】
サーバーＸは、実預託者に関する情報（入金確認情報）に基づいて、預託者別に、実期間別給付金額ｋ（若しくは、期間別給付金額ｊ）をインターバル期間ｄごとに当該預託者の振込先口座に対して払い込みするための指示情報を、管理者がログインしたクライアントの出力装置１４で出力する。
【００７１】
具体的には、管理者がログインしたクライアントの出力装置（プリンター）１４に振込手続を行う金融機関の振込用紙をセットし、当該クライアントの入力装置１１を介して、第１管理画面上に設けられた“プリントアウトキー”をクリックした場合に、管理者がログインしたクライアントの制御装置１２は、当該プリンターに、振込手続を行う金融機関の振込用紙の書き込み位置に合わせ、実期間別給付金額ｋ（若しくは期間別給付金額ｊ）に対応した振込金額や、振り込みを行う金融機関の口座番号と口座名義、振込先口座の口座番号を印字する操作を実行させる。
【００７２】
すなわち、実期間別給付金額ｋ（若しくは、期間別給付金額ｊ）をインターバル期間ｄごとに当該預託者の振込先口座に対して払い込みするための指示情報は、預かり金額に対応する実期間別給付金額ｋ（若しくは期間別給付金額ｊ）の払い込みを行う金融機関の口座番号と口座名義、当該払い込みを受ける金融機関の口座番号を含む。
【００７３】
なお、金融機関が作成した振込用紙を使って当該振込用紙の書き込み位置に実期間別給付金額ｋ（若しくは期間別給付金額ｊ）に対応した振込金額などを印字する形態であってもよいが、通常のプリント用紙に、金融機関が作成した振込用紙と同じフォーマットと、当該フォーマットにおける所定の書き込み位置（上記振込用紙の書き込み位置と同等位置）に合わせて実期間別給付金額ｋ（若しくは期間別給付金額ｊ）に対応した振込金額などを印字する操作を実行させる形態であってもよい。
【００７４】
これにより、印鑑の押印などの手作業での入力が不可欠な作業を除いて、振込用紙への記入を自動的に行うことが出来る。
【００７５】
また、管理者がログインしたクライアントの入力装置１１を介して、第１管理画面上に設けられた“ネット振込キー”をクリックした場合には、当該クライアントの制御装置１２が、通信装置１３やネットワークを介して金融機関のネットバンキング受付用コンピューターＹにアクセスし、実預託者に関する情報（入金確認情報）に基づいて、ネットバンキング受付用コンピューターＹを介した振込手続に必要な入力（ネットバンキング受付用コンピューターＹへの預託者の口座に払い込みするための指示情報の送信）を行う。
【００７６】
具体的には、ブラウザの立ち上げ、当該ブラウザ画面上におけるネットバンキング受付用コンピューターＹへアクセスするためのＵＲＬ情報入力、当該金融機関のネットバンキング受付用コンピューターにログインするためのＩＤやパスワードの入力動作についても予めサーバーＸ若しくはクライアントの記録装置に記録させておき、“ネット振込キー”がクリックされると、クライアントの制御装置１２若しくはサーバーＸの制御装置が、これらの動作に対応したマクロなどアプリケーションソフトウエア上の作業を自動で行う振込手続用プログラムを実行させる。
【００７７】
振込手続用プログラムでは、ネットバンキング受付用コンピューターＹへのアクセス用ログイン後、様々な手続の中から振込手続の選択、振込先の金融機関や口座番号の指定、振込金額の入力を含む動作を実行する。
【００７８】
ただし、かかるネットバンキング受付用コンピューターＹへのアクセス用ログイン動作までは、クライアントの入力装置１１を介して、管理者の手作業によって行われる形態であってもよい。
【００７９】
この場合、ネットバンキング受付用コンピューターＹへのアクセス用ログイン後、“ネット振込キー”がクリックされると、振込手続用プログラムが、振込手続に関する入力動作などを実行する。
【００８０】
これにより、第２暗唱番号など、手続の度に変化し、入力者の手作業で無ければ入力出来ない操作を除いて、振込手続を自動的に行うことが出来る。
【００８１】
なお、ネットバンキング受付用コンピューターＹを介した振込手続の手順は、金融機関側の都合で変更されることが考えられ、当該変更に対応して、“ネット振込キー”に対応する振込手続用プログラムの内容の修正が必要になる場合がある。
【００８２】
このため、実際の振込手続が行われるかどうかに関わらず、動作確認用に、インターバル期間ｄよりも短い第２期間ｔ２ごと（例えば、２週間ごと）に、振込手続用プログラムを実行させて、ネットバンキング受付用コンピューターＹへの預託者の口座に払い込みするための指示情報の送信を行い、当該指示情報の送信に従って振込手続手順を進められない場合には、管理者がログインしたクライアントの出力装置１４を介して、警告を行う形態であってもよい。
【００８３】
クライアント側で、振込手続手順を進められないことを把握出来ず、警告出力までは出来ない事態も考えられるが、その場合でも、クライアントのモニターには、ネットバンキングにおける何らかの手続が止まった状態が表示されるため、使用者（管理者）は、現在の振込手続用プログラムでは、振込手続手順を正常にすすめることが出来ないことを視認することが出来る。
【００８４】
インターバル期間ｄより短い頻度（第２期間ｔ２ごと）で、振込手続用プログラムが正常に動作出来るか（振込手続手順を進められるか）を確認するため、次の払い込み時期まで、振込手続用プログラムの内容の修正を行う時間を確保することが出来る。
【００８５】
なお、ネットバンキングを使った振込手続は、第２暗唱番号の入力など、入力者の手作業でなければ入力出来ない操作が介在するため、第２期間ｔ２ごとに、かかる振込手続用プログラムが実行されても、当該プログラムの動作確認までで、振込手続が完了して実際に金銭の振り込みが行われてしまうことは無い。
【００８６】
また、金融機関にサーバーＸが設けられる場合には、クライアントの制御装置１２若しくはサーバーＸの制御装置が、サーバーＸと接続された当該金融機関の振込装置に、実預託者に関する情報（入金確認情報）に基づいて、ログイン後に、“ネット振込キー”のクリック操作に対応して、預託者別に、実期間別給付金額ｋをインターバル期間ｄごとに当該預託者の振込先口座に対して払い込みするための指示情報を送信させ、当該指示情報に基づいて当該振込装置が振込を行う形態であってもよい。
【００８７】
第１管理画面上に設けられた“保存キー”がクリックされた場合には、サーバーＸの記録装置に記録された入金確認情報が更新される。
第１管理画面上に設けられた“戻るキー”がクリックされた場合には、図１１のメニュー画面表示に戻される。
【００８８】
次に、第２管理画面表示（図１３参照）について説明する。
第２管理画面表示では、同じ性別で同じ年齢の平均預託金額（同じ性別で同じ年齢の預託者の預け入れ金額の平均値）、預託者数、平均給付金額（同じ性別で同じ年齢の預託者への給付金額の平均値）などを入力する画面表示が行われ、第２管理画面上に設けられた“計算実行キー”がクリックされると、これらの入力値と、年齢別や性別ごとの死亡率に基づいて、同じ性別で同じ年齢の預託者が当該預託者数で、平均預託金額だけ預け入れ、当該預け入れによって集まった金銭を使って、平均給付金額の払い込みが行われた場合における、預かり資産（預け入れによって集まった金額）の推移を算出し、算出結果を、管理者がログインしたクライアントの出力装置１４で出力させる（図１４参照）。
【００８９】
年齢別且つ性別ごとの死亡率に関する死亡率情報Ｉｎｆ２は、サーバーＸの記録装置に記録されるもので、管理者がログインしたクライアントの入力装置１１を介して、設定される形態であってもよいし、サーバーＸが第１期間ｔ１ごとに若しくは管理者がログインしたクライアントの入力装置１１を介した指示に基づいて、厚生労働省発表データなどインターネット上で開示された情報を取得して、更新する形態であってもよい。最新の死亡率情報Ｉｎｆ２を使って計算を行うことで、精度良く（預託者と管理者との間のバランスをとって）預かり試算の推移を予測することが可能になる。
【００９０】
本実施形態の図１３や図１４では、第２管理画面上に“死亡率自動取得キー”が設けられ、管理者がログインしたクライアントの入力装置１１を介して“死亡率自動取得キー”がクリックされた場合に、サーバーＸが所定アドレスのウェブページで開示された情報を取得して、死亡率に関する死亡率情報Ｉｎｆ２を更新する形態を示す。
【００９１】
死亡率は、将来、医学の進歩などにより改善される可能性があるため、図１３や図１４に示すように、死亡率の改善率を、管理者がログインしたクライアントの入力装置１１を介して設定し、当該改善率を使って、修正した死亡率を使って、預かり資産推移を計算する形態であってもよい。
【００９２】
本実施形態では、初年度の改善率（図１３、図１４では、０．１０％）を手動で設定し、毎年一定割合で当該改善率が上昇する条件で、年度ごとの改善率を設定し、死亡率から減算させて、修正死亡率を算出する。
【００９３】
かかる修正死亡率を預託者数に乗算して、預託者における、年ごとの死亡者数を推定し、残る生存者数に対して平均給付金額を乗算して、期中給付額（その年に払い込みする給付金額）を算出し、預かり資産の合計から当該期中給付額を差し引いて期末の預かり資産を算出する。
【００９４】
また、運用利回り（図１３、図１４では、１．００％と設定）を考慮して、期末の預かり資産に運用利回り分を上乗せした金額を翌年の預かり資産の期首残高として計算を行う。
【００９５】
管理者がログインしたクライアントの入力装置１１を介して、平均預託金額、預託者数、平均給付金額、死亡率の改善率、運用利回りを設定した後、第２管理画面上に設けられた“計算実行キー”がクリックされると、予め設定された死亡率に基づいて、預かり資産の推移を計算し、出力する。
【００９６】
管理者は、平均預託金額、預託者数などを入力することで、預かり資産の推移のシミュレーションを行うことが可能になる。
【００９７】
管理者がログインしたクライアントの入力装置１１を介して平均預託金額や割引率ａや加算期間ｃを入力して、平均給付金額を算出する、若しくは平均給付金額や割引率ａや加算期間ｃを入力して、平均預託金額を算出する形態であってもよい。
【００９８】
平均預託金額と平均給付金額の関係は、預かり金額ｅと実期間別給付金額ｋの関係と同じ計算式で表される。
【００９９】
この場合には、割引率ａや加算期間ｃを変えながら、管理者にとって最適な平均預託金額と平均給付金額の関係を確認することが可能になる。
【０１００】
第２管理画面上に設けられた“戻るキー”がクリックされた場合には、図１１のメニュー画面表示に戻される。
【０１０１】
第２管理画面は、同じ年齢で同じ性別の預託者を複数集めた場合の預かり資産のシミュレーションを示すが、さらに、他の年齢、他の税別の預託者の預かり資産のシミュレーションと合算し、年度ごと預かり資産の合計を出力する形態であってもよい。
【０１０２】
また、預託対象物を金銭に限定せず、一部を不動産など金銭と異なる資産も含めて預かり金額ｅとし、金銭と異なる預託対象物については、預託者の死後に現金化する形態も複合させてもよい。
【０１０３】
また、本実施形態では、第１情報が記録され、金額計算装置１のソフトウエアがインストールされた記録装置がサーバーＸに設けられ、ネットワークを介して接続されたクライアントが、当該ソフトウエアを利用する形態を説明したが、クライアントの記録装置に、第１情報が記録され、金額計算装置１のソフトウエアがインストールされる形態であってもよい。
【０１０４】
すなわち、資金払い込みシステムにおける金額計算装置１は、サーバーＸとクライアントで構成される形態だけでなく、パーソナルコンピューターなどの情報端末単体で構成される形態であってもよい。
【０１０５】
また、本実施形態では、割引率ａ、若しくは割引金額ｂが一定で変動せず、実期間別給付金額ｋが期間ごとに一定となる形態を説明したが、預託開始時期からの経過期間に応じた所定の変動条件（変動させる間隔、変動率や変動金額）に沿って変動し、段階的に割引率ａ若しくは割引金額ｂが変動（例えば、少なく）する形態であってもよい。所定の変動条件は、クライアントの入力装置１１を介して、第１情報入力画面などで事前に設定される。クライアントの制御装置１２若しくはサーバーＸの制御装置は、所定の変動条件を考慮した割引率ａ若しくは割引金額ｂを使って、変動条件に対応した割引率ａ（若しくは割引金額ｂ）ごとの実期間別給付金額ｋを算出する。
【０１０６】
例えば、１年ごとに、割引率ａに所定の変動率ｐ（０＜ｐ＜１）を加算して、預託を始めてから時間が経過するにつれて、実期間別給付金額ｋが多くなる形態が考えられる。この場合には、段階的に増額される金額（若しくは、増額後の金額）など、所定の変動条件（変動率ｐ）を考慮して計算された実期間別給付金額ｋに関する情報（例えば、初期の払い込み額と、増額される金額と増額されるインターバルなど）についてもクライアントの出力装置１４における計算結果画面で表示されるのが望ましい（図１５参照）。
【０１０７】
図１５は、変動率ｐが０．０１％で、変動させる間隔（１年）ごとに割引率ａを変動させ、割引率ａが初期値の０．１０％に対して、１年ごとに０．０１％だけ少なくなる場合における実期間別給付金額の初期値：１５６，４５２円と、１年ごとの増額：１６円が表示される例を示す。割引率ａや変動率ｐを大きくすることで、増額される金額（段階的に変動する金額）の幅が大きくなる。
【０１０８】
また、預け入れ金額の預け入れを複数回に分けて行う形態であってもよい。この場合には、クライアントの入力装置１１は、第２情報入力画面などで、複数回の預け入れごとに、預託者の預かり金額と預け入れ時の年齢を入力するためにも使用され、クライアントの制御装置１２若しくはサーバーＸの制御装置が、複数回の預け入れ完了後は、それぞれの預け入れ時における預託者の年齢に基づいて算出された期間別給付金額ｊ（若しくは実期間別給付金額ｋ）を計算し、複数回の預け入れ後の給付金額は、複数回の預け入れそれぞれに対応する期間別給付金額ｊ（若しくは実期間別給付金額ｋ）の合算値を給付金額として、クライアントの出力装置１４における計算結果画面に表示する（図１６参照）。
【０１０９】
例えば、５０歳で１回目の預け入れ（第１預託）を行い、６５歳で２回目の預け入れ（第２預託）を行う場合には、６４歳までは、１回目の預かり金額ｅに基づく給付金額計算が行われ、６５歳以降は、１回目の預かり金額ｅに基づく給付金額（実期間別給付金額ｋ：１５６，４５２円）と２回目の預かり金額ｅに基づく給付金額（実期間別給付金額ｋ：２５０，５７３円）の合計額（４０７，２０６円）が給付金額として表示される。
【０１１０】
また、預託者が個人単位である形態で、個人単位の預託者に支払われる実期間別給付金額ｋなどを算出する形態を説明したが、夫婦など複数の預託者が属するグループ単位で、クライアントの制御装置１２若しくはサーバーＸの制御装置が、実期間別給付金額ｋなどを算出する形態であってもよい。
【０１１１】
具体的には、個人単位の預かり金額に基づいて、当該個人単位に給付金額（期間別給付金額ｊ若しくは実期間別給付金額ｋ）を算出して、これを当該個人単位の口座に払い込みする形態に代えて、複数の預託者が属するグループ単位の預け入れ金額に基づいて、当該グループ単位に給付金額を算出して、これを当該グループ（若しくは、当該グループに属する預託者の少なくとも１つ）の口座に給付金額を払い込みする。グループに属する預託者ごとの年齢や性別は、クライアントの入力装置１１を介して、第２情報入力画面などで設定される。
【０１１２】
平均余命のうち預託者の年齢や性別に対応するものであって、当該グループに属する預託者の平均余命のうちでいずれか（例えば、最も長いもの）をインターバル期間ｄ（所定の期間）で区分した区分数で、当該グループの預かり金額ｅを除算して得られた期間別給付金額ｊを算出し、期間別給付金額ｊに対応する実期間別給付金額ｋを、クライアントの出力装置１４における計算結果画面に表示する（図１７参照）。
【０１１３】
この場合、更に、グループに属する預託者の一人が死亡した後については、実期間別給付金額ｋ（若しくは、期間別給付金額ｊ）は、一定割合だけ圧縮した（若しくは一定金額だけ減額した）金額を実期間別給付金額ｋ（若しくは、期間別給付金額ｊ）とし、当該金額をクライアントの出力装置１４で表示させ、当該金額を払い込みする形態であってもよい（図１８参照）。図１８は、グループに属する預託者の一方が死亡した後については、３分の２（一定割合）に圧縮した金額を実期間別給付金額ｋとして、預託者に支払う旨を表示する例を示す。
【０１１４】
これにより、個人単位だけでなく、夫婦などグループ単位でも、預かり金額を預け入れした場合に、インターバル期間ｄごとに払い込みされる金額を知ることが可能になる。
【符号の説明】
【０１１５】
１  資金払い込みシステムにおける金額計算装置
１１  クライアントそれぞれの入力装置
１２  クライアントそれぞれの制御装置
１３  クライアントそれぞれの通信装置
１４  クライアントそれぞれの出力装置
ａ  割引率
ｂ  割引金額
ｃ  加算期間
ＣＰ１〜ＣＰ５  クライアント
ｄ  インターバル期間
ｅ  預かり金額
ｆ  預託者の年齢
ｇ  預託者の性別
ｈ  預託者余命期間
ｉ  給付予定回数
Ｉｎｆ１  余命情報
Ｉｎｆ２  死亡率情報
ｊ  期間別給付金額
ｋ  実期間別給付金額
ｔ１、ｔ２  第１期間、第２期間
Ｘ  サーバー
Ｙ  ネットバンキング受付用コンピューター
【図１】
2015127927.tif 000003
【図２】
2015127927.tif 000004
【図３】
2015127927.tif 000005
【図４】
2015127927.tif 000006
【図５】
2015127927.tif 000007
【図６】
2015127927.tif 000008
【図７】
2015127927.tif 000009
【図８】
2015127927.tif 000010
【図９】
2015127927.tif 000011
【図１０】
2015127927.tif 000012
【図１１】
2015127927.tif 000013
【図１２】
2015127927.tif 000014
【図１３】
2015127927.tif 000015
【図１４】
2015127927.tif 000016
【図１５】
2015127927.tif 000017
【図１６】
2015127927.tif 000018
【図１７】
2015127927.tif 000019
【図１８】
2015127927.tif 000020